(57)【要約】【課題】部品に関する的確な情報をユーザに対して提供可能とする電子装置、及び電子装置情報提供システムを提供する。【解決手段】電子装置から、前記部品情報を取得し、部品名を示す情報、該部品の最新のバージョンを示す情報、及び部品に関する部品関連情報から部品名及び最新のバージョンを取得し、該最新のバージョンと、前記電子装置から取得したバージョンとを部品毎に比較することにより、最新ではないバージョンを有する部品名を抽出し、抽出された部品名及び該部品名に対応する前記部品関連情報を含む更新部品情報を前記電子装置に送信する。【選択図】図５
2007266780.tif 000002
【特許請求の範囲】
【請求項１】
装置を構成する複数の部品と、
前記複数の部品の各々の部品名及びバージョンを示す部品情報が記録された記録手段と、
情報を表示する表示手段と、
前記記録手段に記録されている前記部品情報を取得し、取得した前記部品情報が示す部品名及びバージョンを、前記表示手段に表示するように制御する制御手段と、
を有する電子装置。
【請求項２】
前記電子装置は、撮影装置である請求項１に記載の電子装置。
【請求項３】
上位装置と通信可能な通信手段を更に有し、
前記制御手段は、前記通信手段が前記上位装置と通信可能な状態で該上位装置に前記部品情報を送信するように制御する請求項１または請求項２に記載の電子装置。
【請求項４】
請求項３に記載の電子装置から、前記部品情報を取得する部品情報取得手段と、
部品名を示す情報、該部品の最新のバージョンを示す情報、及び部品に関する部品関連情報が記録された最新部品情報記録手段と、
前記最新部品情報記録手段から部品名及び最新のバージョンを取得し、該最新のバージョンと、前記電子装置から取得したバージョンとを部品毎に比較することにより、最新ではないバージョンを有する部品名を抽出する抽出手段と、
前記抽出手段により抽出された部品名及び該部品名に対応する前記部品関連情報を含む更新部品情報を前記電子装置に送信する更新部品情報送信手段と、
を有する電子装置情報提供システム。
【請求項５】
前記抽出手段により抽出された部品名が、前記電子装置のファームウェアを示す場合に、前記電子装置に最新のファームウェアを送信するファームウェア送信手段を更に有する請求項４に記載の電子装置情報提供システム。
【請求項６】
前記部品は、ＣＣＤ、またはレンズである請求項４または請求項５に記載の電子装置情報提供システム。
【発明の詳細な説明】
【技術分野】
【０００１】
本発明は、電子装置及び電子装置情報提供システムに関し、特に電子装置の部品に関する情報をユーザに提供する電子装置及び電子装置情報提供システムに関する。
【背景技術】
【０００２】
電子装置は種々の部品により構成されており、これら各部品に対して製造元がバージョンアップを行うことがある。例えば、デジタルカメラにおいては、レンズ、ＣＣＤ及びファームウェアなどのバージョンアップが製造元により行われている。
【０００３】
このような電子装置のメンテナンスに関する技術として、特許文献１には家電製品の自動的な定期点検を可能とし、故障や動作異常を発生した場合、自動的に対処できるものについては自動的に対処し、自動的に対処できない部品交換などについても効率的に対処する技術が開示されている。
【０００４】
この特許文献１の技術における部品交換の判断は、製品のバージョン情報に基づき行われるものである。
【特許文献１】特開２００２−３５４５５４号公報
【発明の開示】
【発明が解決しようとする課題】
【０００５】
しかしながら、交換が必要な部品のうち、一部の部品をユーザが交換した場合など、交換済みの部品と交換が必要な部品とが混在する場合、製品のバージョンだけでは交換に必要な部品を特定することができない。
【０００６】
従って、上述した従来技術では、部品に関する的確な情報をユーザに対して提供することができなかった。
【０００７】
本発明は上記問題点に鑑み、部品に関する的確な情報をユーザに対して提供可能とする電子装置、及び電子装置情報提供システムを提供することを目的とする。
【課題を解決するための手段】
【０００８】
上記目的を達成するために請求項１の発明は、装置を構成する複数の部品と、前記複数の部品の各々の部品名及びバージョンを示す部品情報が記録された記録手段と、情報を表示する表示手段と、前記記録手段に記録されている前記部品情報を取得し、取得した前記部品情報が示す部品名及びバージョンを、前記表示手段に表示するように制御する制御手段と、を有する。
【０００９】
ここで、請求項１に記載の発明では、部品の各々の部品名及びバージョンを示す部品情報が記録された記録手段から前記部品情報を取得し、取得した前記部品情報が示す部品名及びバージョンを、表示手段に表示するように制御するので、部品に関する的確な情報をユーザに対して提供することができる。
【００１０】
また、請求項２の発明は、前記電子装置は、撮影装置である。
【００１１】
ここで、請求項２に記載の発明では、電子装置を撮影装置とすることができる。
【００１２】
また、請求項３の発明は、上位装置と通信可能な通信手段を更に有し、前記制御手段は、前記通信手段が前記上位装置と通信可能な状態で該上位装置に前記部品情報を送信するように制御する。
【００１３】
ここで、請求項３に記載の発明では、製造元のサーバなど、通信可能な上位装置に部品情報を出力することができる。
【００１４】
請求項４の発明は、請求項３に記載の電子装置から、前記部品情報を取得する部品情報取得手段と、部品名を示す情報、該部品の最新のバージョンを示す情報、及び部品に関する部品関連情報が記録された最新部品情報記録手段と、前記最新部品情報記録手段から部品名及び最新のバージョンを取得し、該最新のバージョンと、前記電子装置から取得したバージョンとを部品毎に比較することにより、最新ではないバージョンを有する部品名を抽出する抽出手段と、前記抽出手段により抽出された部品名及び該部品名に対応する前記部品関連情報を含む更新部品情報を前記電子装置に送信する更新部品情報送信手段と、を有する
ここで、請求項４の発明は、請求項３に記載の電子装置から、前記部品情報を取得し、部品名を示す情報、該部品の最新のバージョンを示す情報、及び部品に関する部品関連情報から部品名及び最新のバージョンを取得し、該最新のバージョンと、前記電子装置から取得したバージョンとを部品毎に比較することにより、最新ではないバージョンを有する部品名を抽出し、抽出された部品名及び該部品名に対応する前記部品関連情報を含む更新部品情報を前記電子装置に送信するので、部品に関する的確な情報をユーザに対して提供することができる。
【００１５】
また、請求項５の発明は、前記抽出手段により抽出された部品名が、前記電子装置のファームウェアを示す場合に、前記電子装置に最新のファームウェアを送信するファームウェア送信手段を更に有する。
【００１６】
ここで、請求項５の発明は、電子装置に最新のファームウェアを送信することができる。
【００１７】
また、請求項６の発明は、前記部品は、ＣＣＤ、またはレンズである。
【００１８】
ここで、請求項６の発明では、部品をＣＣＤ、またはレンズとすることができる。
【発明の効果】
【００１９】
本発明によれば、部品に関する的確な情報をユーザに対して提供可能とする電子装置、及び電子装置情報提供システムを提供することができるという効果が得られる。
【発明を実施するための最良の形態】
【００２０】
以下、図面を参照して、本発明の実施の形態について詳細に説明する。本実施の形態においては、電子装置を撮影装置であるデジタルカメラとして説明する。
【００２１】
図１は、本実施の形態に係る全体構成を示す図である。電子装置情報提供システムは、ネットワーク７４に接続されたサーバ７２と、ＰＣ７０と、デジタルカメラ１０とを含む。
【００２２】
このうち、ネットワーク７４は、例えばＬＡＮやインターネットあるいは電話回線などで構成されるネットワークである。
【００２３】
デジタルカメラ１０は、ＰＣ７０とＵＳＢ（Universal Serial Bus）やＩＥＥＥ１３９４などで接続され、装置を構成している複数の部品の各々の部品名及びその部品のバージョンを示す部品情報をサーバ７２に送信する。図１では、ＰＣ７０を介してサーバ７２と接続しているが、直接ネットワーク７４に接続するようにしても良い。
【００２４】
ＰＣ７０は、デジタルカメラ１０とネットワーク７４に接続し、デジタルカメラ１０とサーバ７２とのインタフェースである。なお、ＰＣ７０においては、後述する部品情報、あるいは更新部品情報を表示するようにしても良い。
【００２５】
上位装置であり、電子装置情報提供システムであるサーバ７２は、デジタルカメラ１０から部品情報を取得し、最新のバージョンと、デジタルカメラ１０から取得したバージョンとを部品毎に比較することにより、最新ではないバージョンを有する部品名を抽出し、抽出された部品名及びその部品名に対応する部品関連情報を含む更新部品情報をデジタルカメラ１０に送信する。なお、部品関連情報の詳細については後述する。
【００２６】
上記構成の他に、後述する最新部品情報データベースを他のデータベースサーバで管理するようにしても良い。この場合、サーバ７２とデータベースサーバとが電子装置情報提供システムとなる。
【００２７】
次に、デジタルカメラ１０の構成について説明する。まず、図２を用いてデジタルカメラ１０の外観上の構成を説明する。
【００２８】
デジタルカメラ１０の正面には、被写体像に結像させるためのレンズ２１と、撮影時に必要に応じて被写体に照射する光を発するストロボ４４と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００２９】
レリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３０】
そして、デジタルカメラ１０では、レリーズボタン５６Ａを半押し状態にすることによりＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００３１】
次に、図３を参照して、デジタルカメラ１０の電気系の構成を説明する。
【００３２】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３３】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３４】
なお、デジタル信号処理部３０は、所定容量のラインバッファを内蔵し、入力されたデジタルデータを後述するメモリ４８の所定領域に直接記録させる制御も行う。
【００３５】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３６】
一方、デジタルカメラ１０は、デジタルカメラ１０全体の動作を司るＣＰＵ（中央処理装置）４０と、撮影により得られたデジタル画像データ等を記録するメモリ４８と、メモリ４８に対するアクセスの制御を行うメモリインタフェース４６と、を含んで構成されている。上記メモリ４８としてＶＲＡＭ（Video RAM）を用いるようにしても良い。
【００３７】
更に、デジタルカメラ１０は、デジタル画像データに対する圧縮処理及び伸張処理を行う圧縮・伸張処理回路５４、及びＰＣ７０などの外部機器と通信を行うための外部機器接続インタフェース６０を含んで構成されている。外部機器接続インタフェース６０は、例えばＵＳＢ、ＩＥＥＥ１３９４、または無線ＬＡＮを用いて外部機器と通信可能とするためのデバイスである。従って、外部機器との通信は、ＣＰＵ４０による制御に応じて外部機器接続インタフェース６０により行われる。
【００３８】
デジタル信号処理部３０、ＣＰＵ４０、メモリインタフェース４６、外部機器接続インタフェース６０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、及びメモリ４８へのメモリインタフェース４６介したアクセスを各々行うことができる。
【００３９】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４０】
更に、デジタルカメラ１０にはモータ駆動部３４が備えられており、光学ユニット２２に備えられた図示しない焦点調整モータ、ズームモータ、及び絞り駆動モータの駆動もＣＰＵ４０によりモータ駆動部３４を介して制御される。
【００４１】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００４２】
更に、前述のレリーズボタン５６Ａ、及び電源スイッチ５６Ｂ（同図では、「操作部５６」と総称。）はＣＰＵ４０に接続されており、ＣＰＵ４０は、これらの操作部５６に対する操作状態を常時把握できる。
【００４３】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４４】
以上のようにデジタルカメラ１０は、複数の部品で構成されている。
【００４５】
次に、デジタルカメラ１０の撮影時における全体的な動作について簡単に説明する。
【００４６】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４７】
ＡＤＣ２８は、アナログ信号処理部２６から入力されたＲ、Ｇ、Ｂ毎のアナログ信号を各々１２ビットのＲ、Ｇ、Ｂの信号に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４８】
メモリ４８の所定領域に格納されたデジタル画像データは、ＣＰＵ４０による制御に応じてデジタル信号処理部３０により読み出され、デジタル信号処理部３０は、所定ビット、例えば８ビットのデジタル画像データを生成する。
【００４９】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５０】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式で圧縮した後にメモリインタフェース４６を介してメモリ４８に記録する。
【００５１】
次に、図４を用いて、サーバ７２の構成について説明する。なお、ＰＣ７０も同様の構成となっている。
【００５２】
サーバ７２は、ＣＰＵ８０と、ＨＤＤ８２と、ＲＡＭ８４と、ネットワークインタフェース８６と、ＲＯＭ８８と、表示部９０と、操作入力部９２と、バス９４とを含む。
【００５３】
ＣＰＵ８０は、サーバ７２の全体の動作を司るものであり、後述するサーバ７２の処理を示すフローチャートは、ＣＰＵ８０により実行される。ＨＤＤ８２は、各データベース、更新部品情報を求めるためのプログラムなどの各種プログラム、ＯＳなどが記録される不揮発性の記憶装置である。ＲＡＭ８４は、ＯＳ、プログラム、及びデータなどが展開される揮発性の記憶装置である。ネットワークインタフェース８６は、ネットワーク７４に接続するためのものであり、ＮＩＣやそのドライバで構成される。ＲＯＭ８８は、サーバ７２の起動時に動作するブートプログラムなどが記憶されている不揮発性の記憶装置である。表示部９０は、サーバ７２に関する情報をオペレータに表示するものである。操作入力部９２は、オペレータがサーバ７２の操作や情報を入力する際に用いられるものである。バス９４は、情報のやりとりが行われる際に使用される。
【００５４】
次に、本実施の形態で用いられる各データベース（以下、ＤＢと記す）について説明する。図５は、デジタルカメラ１０のメモリ４８（図３参照）に記憶されている部品情報ＤＢを示している。
【００５５】
部品情報ＤＢは、デジタルカメラ１０を構成している各部品の部品名及びその部品のバージョンを示す部品情報が記録されたＤＢである。例えば、図５において、レンズＡのバージョンは２．０である。なお、図５に示されるように、ファームウェアは部品の一つとしている。
【００５６】
次に、図６を用いて、サーバ７２のＨＤＤ８２（図４参照）に記憶されている最新部品情報ＤＢについて説明する。最新部品情報ＤＢは、部品名を示す情報、その部品の最新のバージョンを示す情報、及び部品に関する部品関連情報が記録されたＤＢである。この図６の場合、例えばレンズＢの最新のバージョンは、１．５であり、部品関連情報は「交換」である。
【００５７】
なお、部品関連情報は、部品に関する情報から部品名及びバージョンを除いた情報である。具体的に例示列挙すると、部品の交換または更新を示す情報や、交換または更新をした場合の注意事項を示す情報が部品関連情報である。例えば、レンズＢの部品関連情報に示される「交換」は、部品の交換または更新を示す情報であり、レンズＡの部品関連情報に示される「交換した場合、ファームＡの更新が必要です」は、交換または更新をした場合の注意事項を示す情報である。
【００５８】
以上の２つのＤＢが本実施の形態で用いられるＤＢである。以下、デジタルカメラ１０及びサーバ７２で実行される各処理を、フローチャートを用いて説明する。なお、デジタルカメラ１０で実行される処理は、ＣＰＵ４０（図３参照）により実行される処理であり、その処理を実行するためのプログラムは、メモリ４８に記憶されている。また、サーバ７２で実行される処理は、ＣＰＵ８０（図４参照）が実行する処理であり、その処理を実行するためのプログラムは、ＨＤＤ８２に記憶されている。
【００５９】
まず最初に図７を用いて、デジタルカメラ１０が、ユーザに対して部品情報を表示する処理について説明する。ステップ１０１は、ユーザからの部品情報表示指示待ちである。この部品情報表示指示は、例えば十字カーソルボタン５６Ｄ（図２参照）によりユーザによって行われる指示である。
【００６０】
部品情報表示指示がユーザにより行われると、ステップ１０２で、部品情報ＤＢに記録されている部品情報を取得する。次のステップ１０３で、取得した部品情報が示す部品名及びバージョンをＬＣＤ３８に表示するように制御する。
【００６１】
このときの表示例を図８に示す。図８に示される表示例は、部品情報ＤＢが図５に示される内容での表示例であり、部品名とバージョン情報が表示されることが示されている。なお、この部品情報を、ＰＣ７０が有するディスプレイに表示するようにしても良い。
【００６２】
次に、図９を用いて、デジタルカメラ１０が、部品情報をサーバ７２に送信する処理について説明する。この処理は、外部機器接続インタフェース６０によりサーバ７２とデジタルカメラ１０とが通信可能な状態で行われる。
【００６３】
ステップ２０１は、サーバ７２からの部品情報要求受信待ちである。部品情報要求を受信すると、ステップ２０２で、部品情報ＤＢから部品情報を取得し、取得した部品情報をサーバ７２へ送信する。
【００６４】
上記部品情報を送信されるサーバ７２の処理を、図１０を用いて説明する。ステップ３０１は、部品情報取得待ちである。部品情報を取得すると、ステップ３０２で、部品情報から部品名とバージョンを取得する。
【００６５】
次のステップ３０３からステップ３０６のループ処理は、最新部品情報ＤＢから部品名及び最新のバージョンを取得し、その最新のバージョンと、デジタルカメラ１０から取得したバージョンとを部品毎に比較することにより、最新ではないバージョンを有する部品名を抽出する処理である。まず、ステップ３０３で、最新のバージョンと部品情報が示すバージョンとの比較が行われる。
【００６６】
ステップ３０４で、部品情報が示すバージョンが、最新のバージョンかどうかは判定される。否定判断の場合は、デジタルカメラ１０の部品のバージョンが最新のバージョンではないので、その部品名と、その部品名に対応する部品関連情報とを更新部品情報リストに追加し、ステップ３０６へ処理が進む。なお、ステップ３０５で更新部品情報リストに追加される情報として、最新バージョンを含むようにしても良い。
【００６７】
ステップ３０４で肯定判断、すなわちデジタルカメラ１０の部品のバージョンが最新のバージョンである場合、ステップ３０６へ処理が進む。
【００６８】
ステップ３０６は、デジタルカメラから取得した部品情報に含まれる全ての部品名で比較したかどうかの判断である。否定判断の場合、再びステップ３０３の処理に戻る。肯定判断の場合、ステップ３０７で、ステップ３０３からステップ３０６の処理により抽出された部品名及びその部品名に対応する部品関連情報を含む更新部品情報をデジタルカメラ１０に送信する。
【００６９】
次のステップ３０８は、上記ステップ３０３からステップ３０６の処理により抽出された部品名が、デジタルカメラ１０のファームウェアを示すかどうかの判断である。否定判断の場合、サーバ７２の処理は終了する。肯定判断の場合、ステップ３０９で、デジタルカメラ１０に最新のファームウェアを送信する。
【００７０】
以上説明した処理で用いられた更新部品情報リストの例を、図１１に示す。この図１１に示される更新部品情報リスト例は、製品情報ＤＢ及び最新部品情報ＤＢが、図５及び図６に示される内容での更新部品情報リスト例である。また、この更新部品情報リスト例では、最新バージョンも含まれるものとなっている。
【００７１】
次に、更新部品情報及びファームウェアを受信するデジタルカメラ１０の処理を、図１２のフローチャートを用いて説明する。ステップ４０１は、更新部品情報受信待ちである。更新部品情報を受信すると、次のステップ４０２で受信した更新部品情報にファームウェアが含まれるかどうか判断する。否定判断の場合、ステップ４０４へ処理が進む。肯定判断の場合、ステップ４０３で、ファームウェアを受信し、インストールを実行する。その後、ステップ４０３で、更新部品情報を表示する。
【００７２】
図１３は、更新部品情報の表示例を示す。図１３に示される表示例は、図１１に示される更新部品情報を受信した場合の表示例を示している。図に示されるように、部品名、最新バージョン、及び部品関連情報が表示される。この図１３の場合、ファームウェアの更新も行われるので、ファームウェアのダウンロード及びインストールが実行されていることも表示される。なお、この表示例に示される画面を、ＰＣ７０が有するディスプレイに表示するようにしても良い。
【図面の簡単な説明】
【００７３】
【図１】本実施の形態に係る電子装置情報提供システムを示す図である。
【図２】デジタルカメラの外観上の構成を示す図である。
【図３】デジタルカメラの電気系の構成を示す図である。
【図４】サーバの構成を示す図である。
【図５】部品情報ＤＢを示す図である。
【図６】最新部品情報ＤＢを示す図である。
【図７】デジタルカメラが部品情報を表示する処理を示すフローチャートである。
【図８】部品情報の表示例を示す図である。
【図９】デジタルカメラが部品情報を送信する処理を示すフローチャートである。
【図１０】サーバの処理を示すフローチャートである。
【図１１】更新部品情報リスト例を示す図である。
【図１２】デジタルカメラが更新部品情報を受信する処理を示すフローチャートである。
【図１３】更新部品情報の表示例を示す図である。
【符号の説明】
【００７４】
１０  デジタルカメラ
３８  ＬＣＤ
４０、６０  ＣＰＵ
４８  メモリ
５６  操作部
６０  外部機器接続インタフェース
７２  サーバ
７４  ネットワーク
８２  ＨＤＤ
８６  ネットワークインタフェース
【図１】
2007266780.tif 000003
【図２】
2007266780.tif 000004
【図３】
2007266780.tif 000005
【図４】
2007266780.tif 000006
【図５】
2007266780.tif 000007
【図６】
2007266780.tif 000008
【図７】
2007266780.tif 000009
【図８】
2007266780.tif 000010
【図９】
2007266780.tif 000011
【図１０】
2007266780.tif 000012
【図１１】
2007266780.tif 000013
【図１２】
2007266780.tif 000014
【図１３】
2007266780.tif 000015